(57)【要約】【課題】２台の端末装置の各々について、インフラストラクチャーモードで無線通信可能な通信設定を確実に行うことができる端末装置を提供すること。【解決手段】  ＢＯＸは、アドホックモードからインフラストラクチャーモードへの設定変更要求をＭＦＰから受信すると（Ｓ５３）、現在の通信設定を保存した後（Ｓ５５）、自身の無線ＬＡＮ簡単設定機能を実行し（Ｓ５６）、その結果、新たな通信設定が完了すると、先に保存した通信設定に再設定し（Ｓ６０）、アドホックモードで新たな通信設定が完了したことをＭＦＰへ送信し（Ｓ６１）、その後、再度、新たな通信設定に設定する（Ｓ６８）。一方、ＭＦＰは、ＢＯＸから新たな通信設定が完了したことを受信したことを条件に、自身の無線ＬＡＮ簡単設定機能を実行し、新たな通信設定を行う。【選択図】図５
2011055116.tif 000002
【特許請求の範囲】
【請求項１】
所定の端末装置と直接無線通信可能なアドホックモードと、所定の端末装置とアクセスポイントを介して無線通信可能なインフラストラクチャーモードとの何れか一方の通信モードで前記所定の端末装置と無線通信可能に接続されている端末装置において、
前記インフラストラクチャーモードへの設定変更を行う指示を入力する入力手段と、
その入力手段を介して前記指示が入力された場合に、前記所定の端末装置に前記設定変更を行うことを要求する要求情報を前記アドホックモードで送信する要求手段と、
その要求手段による要求を受けて、前記アクセスポイントとの通信において、前記インフラストラクチャーモードへの設定変更が完了したことを示す完了通知を、前記所定の端末装置から前記アドホックモードで受信する完了通知受信手段と、
その完了通知受信手段によって前記完了通知を受信したことを条件に、前記インフラストラクチャーモードへの前記設定変更を行う第１設定手段とを備えていることを特徴とする端末装置。
【請求項２】
情報を報知する報知手段と、
前記完了通知受信手段によって前記完了通知を受信したことを条件に、任意のアクセスポイントに対して行う操作内容を前記報知手段により報知させる報知制御手段とを備え、
前記第１設定手段は、前記報知制御手段により報知された前記操作内容に対する操作が行われた場合、前記設定変更を行うことを特徴とする請求項１に記載の端末装置。
【請求項３】
前記所定の端末装置を識別可能な識別情報を記憶する記憶手段と、
前記入力手段を介して前記指示が入力された後であって、前記要求手段によって前記要求をする前に、同一ネットワークに接続されている端末装置に、その端末装置を識別可能な識別情報を返信することを指示する返信指示手段と、
その返信指示手段によって前記端末装置から返信される識別情報と、前記記憶手段に記憶されている識別情報とが一致するかを判断する判断手段とを備え、
前記判断手段によって一致すると判断された場合に、前記所定の端末装置に前記要求をすることを特徴とする請求項１又は２に記載の端末装置。
【請求項４】
所定の端末装置と直接無線通信可能なアドホックモードと、所定の端末装置とアクセスポイントを介して無線通信可能なインフラストラクチャーモードとの何れか一方の通信モードで前記所定の端末装置と無線通信可能に接続されている端末装置において、
前記所定の端末装置から前記インフラストラクチャーモードへの設定変更を行うように指示する要求を受信する要求受信手段と、
その要求受信手段によって前記要求を受信した場合に、現在の通信設定を保存する保存手段と、
その保存手段によって保存したことを条件に、前記インフラストラクチャーモードへの設定変更を行う第２設定手段と、
その第２設定手段によって前記アクセスポイントとの通信において前記インフラストラクチャーモードへの設定変更が完了したことを条件に、新たに設定された通信設定から前記保存手段によって保存されている通信設定に変更する変更手段と、
その変更手段によって変更された通信設定で、前記第２設定手段による通信設定の完了を示す完了通知を前記所定の端末装置に送信する完了通知送信手段と、
その完了通知送信手段によって前記完了通知を送信したことを条件に、前記第２設定手段によって設定された通信設定に再設定する再設定手段とを備えていることを特徴とする端末装置。
【請求項５】
所定の端末装置と直接無線通信可能なアドホックモードと、所定の端末装置とアクセスポイントを介して無線通信可能なインフラストラクチャーモードとの何れか一方の通信モードで、前記所定の端末装置と無線通信可能に接続されている端末装置において、
前記インフラストラクチャーモードへの設定変更を行う指示を入力する入力手段と、
その入力手段を介して前記指示が入力された場合に、現在の通信設定を保存する保存手段と、
その保存手段によって保存したことを条件に、前記インフラストラクチャーモードへの設定変更を行う第１設定手段と、
その第１設定手段によって設定された通信設定から前記保存手段によって保存されている通信設定に変更する変更手段と、
その変更手段によって変更された通信設定で前記設定変更を行うように指示する要求手段と、
その要求手段による要求に対する応答を条件に、前記第１設定手段によって設定された通信設定の内容を前記所定の端末装置に送信する送信手段と、
その送信手段による送信に対して、前記アクセスポイントとの通信において、前記インフラストラクチャーモードへの設定変更が完了したことを示す完了通知を、前記所定の端末装置から前記アドホックモードで受信する完了通知受信手段と、
その完了通知受信手段によって前記完了通知を受信したことを条件に、前記第１設定手段によって設定された通信設定に再設定する再設定手段とを備えていることを特徴とする端末装置。
【請求項６】
情報を報知する報知手段と、
任意のアクセスポイントに対して行う操作内容を前記報知手段により報知させる報知制御手段と、
を備え、
前記第１設定手段は、前記報知制御手段により報知された前記操作内容の報知に対する操作が行われた場合、前記設定変更を行うことを特徴とする請求項５に記載の端末装置。
【請求項７】
前記所定の端末装置を識別可能な識別情報を記憶する記憶手段と、
前記入力手段を介して前記指示が入力された後であって、前記第１設定手段による設定をする前に、同一ネットワークに接続されている端末装置に対して、その端末装置を識別可能な識別情報を返信することを指示する返信指示手段と、
その返信指示手段によって前記端末装置から返信される識別情報と、前記記憶手段に記憶されている識別情報とが一致するかを判断する判断手段とを備え、
前記第１設定手段は、前記判断手段によって一致すると判断された場合に設定を行うことを特徴とする請求項５又は６に記載の端末装置。
【請求項８】
所定の端末装置と直接無線通信可能なアドホックモードと、所定の端末装置とアクセスポイントを介して無線通信可能なインフラストラクチャーモードとの何れか一方の通信モードで、前記所定の端末装置と無線通信可能に接続されている端末装置において、
前記所定の端末装置から、前記インフラストラクチャーモードへの設定変更を行う要求を受信する要求受信手段と、
その要求受信手段によって前記要求を受信した場合に、現在の通信設定を保存する保存手段と、
その要求受信手段によって受信した前記要求に対する応答を条件に、前記所定の端末装置によって設定された通信設定の内容を受信する受信手段と、
その受信手段によって受信した前記通信設定により前記インフラストラクチャーモードへの設定変更を行う第２設定手段と、
その第２設定手段によって設定された通信設定から前記保存手段によって保存されている通信設定に変更する変更手段と、
その変更手段によって変更された通信設定で、前記第２設定手段による通信設定の完了を示す完了通知を前記所定の端末装置に送信する完了通知送信手段と、
その完了通知送信手段によって前記完了通知を送信したことを条件に、前記第２設定手段によって設定された通信設定に再設定する再設定手段とを備えていることを特徴とする端末装置。
【発明の詳細な説明】
【技術分野】
【０００１】
本発明は、端末装置に関するものである。
【背景技術】
【０００２】
特許文献１には、インターネットラジオ２０に、無線ＬＡＮアクセスポイントルータ３０との無線通信を可能とする技術が記載されている。具体的には、ＰＣ１０とインターネットラジオ２０とをアドホックモードで直接的に接続する。そして、ＰＣ１０が無線ＬＡＮアクセスポイントルータ３０との無線通信に使用しているＳＳＩＤおよびＷＥＰ鍵を、ＰＣ１０からインターネットラジオ２０に送信し、その送信されたＳＳＩＤおよびＷＥＰ鍵をインターネットラジオ２０に設定する技術が記載されている。
【先行技術文献】
【特許文献】
【０００３】
【特許文献１】特開２００５−１４２７９２
【発明の概要】
【発明が解決しようとする課題】
【０００４】
しかしながら、上述した特許文献１に記載されている技術は、既に、ＰＣ１０が無線ＬＡＮアクセスポイントルータ３０と無線通信可能に設定されていることが前提となる技術である。よって、ＰＣ１０と、インターネットラジオ２０との各々に、無線ＬＡＮアクセスポイントルータ３０を介して無線通信可能なインフラストラクチャーモードの通信設定を行うことはできない。
【０００５】
また、上述した特許文献１は、ＰＣ１０からインターネットラジオ２０にＳＳＩＤおよびＷＥＰ鍵を送信した後は、インターネットラジオ２０における通信設定が成功したか否かに拘らず、ＰＣ１０は、当初設定されていたインフラストラクチャーモードに再設定される。よっって、インターネットラジオ２０の設定が失敗した場合には、ＰＣ１０とインターネットラジオ２０との間で無線通信ができなくなるという問題点があった。
【０００６】
本発明は、上述した問題点を解決するためになされたものであり、２台の端末装置の各々について、インフラストラクチャーモードで無線通信可能な通信設定を確実に行うことができる端末装置を提供することを目的としている。
【課題を解決するための手段】
【０００７】
この目的を達成するために、本発明の端末装置は、所定の端末装置と直接無線通信可能なアドホックモードと、所定の端末装置とアクセスポイントを介して無線通信可能なインフラストラクチャーモードとの何れか一方の通信モードで前記所定の端末装置と無線通信可能に接続されているものであって、前記インフラストラクチャーモードへの設定変更を行う指示を入力する入力手段と、その入力手段を介して前記指示が入力された場合に、前記所定の端末装置に前記設定変更を行うことを要求する要求情報を前記アドホックモードで送信する要求手段と、その要求手段による要求を受けて、前記アクセスポイントとの通信において、前記インフラストラクチャーモードへの設定変更が完了したことを示す完了通知を、前記所定の端末装置から前記アドホックモードで受信する完了通知受信手段と、その完了通知受信手段によって前記完了通知を受信したことを条件に、前記インフラストラクチャーモードへの前記設定変更を行う第１設定手段とを備えている。
【０００８】
また、本発明の端末装置は、所定の端末装置と直接無線通信可能なアドホックモードと、所定の端末装置とアクセスポイントを介して無線通信可能なインフラストラクチャーモードとの何れか一方の通信モードで前記所定の端末装置と無線通信可能に接続されているものであって、前記所定の端末装置から前記インフラストラクチャーモードへの設定変更を行うように指示する要求を受信する要求受信手段と、その要求受信手段によって前記要求を受信した場合に、現在の通信設定を保存する保存手段と、その保存手段によって保存したことを条件に、前記インフラストラクチャーモードへの設定変更を行う第２設定手段と、その第２設定手段によって前記アクセスポイントとの通信において前記インフラストラクチャーモードへの設定変更が完了したことを条件に、新たに設定された通信設定から前記保存手段によって保存されている通信設定に変更する変更手段と、その変更手段によって変更された通信設定で、前記第２設定手段による通信設定の完了を示す完了通知を前記所定の端末装置に送信する完了通知送信手段と、その完了通知送信手段によって前記完了通知を送信したことを条件に、前記第２設定手段によって設定された通信設定に再設定する再設定手段とを備えている。
【０００９】
また、本発明の端末装置は、所定の端末装置と直接無線通信可能なアドホックモードと、所定の端末装置とアクセスポイントを介して無線通信可能なインフラストラクチャーモードとの何れか一方の通信モードで、前記所定の端末装置と無線通信可能に接続されているものであって、前記インフラストラクチャーモードへの設定変更を行う指示を入力する入力手段と、その入力手段を介して前記指示が入力された場合に、現在の通信設定を保存する保存手段と、その保存手段によって保存したことを条件に、前記インフラストラクチャーモードへの設定変更を行う第１設定手段と、その第１設定手段によって設定された通信設定から前記保存手段によって保存されている通信設定に変更する変更手段と、その変更手段によって変更された通信設定で前記設定変更を行うように指示する要求手段と、その要求手段による要求に対する応答を条件に、前記第１設定手段によって設定された通信設定の内容を前記所定の端末装置に送信する送信手段と、その送信手段による送信に対して、前記アクセスポイントとの通信において、前記インフラストラクチャーモードへの設定変更が完了したことを示す完了通知を、前記所定の端末装置から前記アドホックモードで受信する完了通知受信手段と、その完了通知受信手段によって前記完了通知を受信したことを条件に、前記第１設定手段によって設定された通信設定に再設定する再設定手段とを備えている。
【００１０】
また、本発明の端末装置は、所定の端末装置と直接無線通信可能なアドホックモードと、所定の端末装置とアクセスポイントを介して無線通信可能なインフラストラクチャーモードとの何れか一方の通信モードで、前記所定の端末装置と無線通信可能に接続されているものであって、前記所定の端末装置から、前記インフラストラクチャーモードへの設定変更を行う要求を受信する要求受信手段と、その要求受信手段によって前記要求を受信した場合に、現在の通信設定を保存する保存手段と、その要求受信手段によって受信した前記要求に対する応答を条件に、前記所定の端末装置によって設定された通信設定の内容を受信する受信手段と、その受信手段によって受信した前記通信設定により前記インフラストラクチャーモードへの設定変更を行う第２設定手段と、その第２設定手段によって設定された通信設定から前記保存手段によって保存されている通信設定に変更する変更手段と、その変更手段によって変更された通信設定で、前記第２設定手段による通信設定の完了を示す完了通知を前記所定の端末装置に送信する完了通知送信手段と、その完了通知送信手段によって前記完了通知を送信したことを条件に、前記第２設定手段によって設定された通信設定に再設定する再設定手段とを備えている。
【発明の効果】
【００１１】
請求項１記載の端末装置によれば、入力手段を介してインフラストラクチャーモードへの設定変を行う指示が入力されると、無線通信可能に接続されている所定の端末装置に対し、前記設定変更を行うように要求がなされる。そして、その要求を受けて、アクセスポイントとの通信において、インフラストラクチャーモードへの設定変更が完了したこを示す完了通知を、前記所定の端末装置からアドホックモードで受信したことを条件に、第１設定手段によってインフラストラクチャーモードへの前記設定変更が行われる。よって、所定の端末装置において設定変更が完了せず、自装置における設定変更が完了し、所定の端末装置との間で無線通信ができなくなるのを防止することができる。従って、２台の端末装置について、インフラストラクチャーモードで無線通信可能な通信設定を確実に行うことができるという効果がある。
【００１２】
請求項２記載の端末装置によれば、請求項１に記載の端末装置の奏する効果に加え、所定の端末装置から設定変更の完了を示す完了通知を受信したことを条件に、任意のアクセスポイントに対して行う操作内容が報知手段を介して報知される。そして、その報知された操作内容に対する操作が行われた場合に、第１設定手段によってインフラストラクチャーモードへの設定変更が行われる。よって、第１設定手段による設定変更を正確に行わせるのに必要な操作をユーザに報知でき、正確に第１設定手段による設定変更を行わせることができるという効果がある。
【００１３】
請求項３記載の端末装置によれば、請求項１又は２に記載の端末装置の奏する効果に加え、入力手段を介して指示が入力された後であって、要求手段によって要求をする前に、同一ネットワークに接続されている端末装置に、その端末装置を識別可能な識別情報を返信することが指示される。そして、返信される識別情報と、記憶手段に記憶されている識別情報とが一致するかが判断され、一致すると判断された場合に前記要求がなされる。よって、前記要求をする所定の端末装置を、記憶手段に記憶されている識別情報によって特定される端末装置に特定することができる。従って、無線通信可能に接続されている必要がある端末装置を、所定の端末装置とし、その所定の端末装置の識別情報を記憶手段に記憶しておくことで、その所定の端末装置との間で、インフラストラクチャーモードで無線通信可能な通信設定を確実に行うことができるという効果がある。
【００１４】
請求項４記載の端末装置によれば、所定の端末装置からインフラストラクチャーモードへの設定変更を行うように指示する要求を受信した場合には、現在の通信設定が保存され、要求された設定変更が第２設定手段によって行われれる。そして、その第２設定手段によってアクセスポイントとの通信において、インフラストラクチャーモードへの設定変更が完了したことを条件に、新たに設定した通信設定から、先に保存した通信設定に変更され、その変更された通信設定で完了通知が所定の端末装置に送信され、その完了通知を送信したことを条件に、要求された通信設定に再設定される。よって、要求された通信設定が完了していないにも拘らず、所定の端末装置で設定変更がなされ、所定の端末装置と無線通信ができなくなるのを防止することができる。従って、２台の端末装置について、インフラストラクチャーモードで無線通信可能な通信設定を確実に行うことができるという効果がある。
【００１５】
請求項５記載の端末装置によれば、入力手段を介してインフラストラクチャーモードへの設定変更を行う指示が入力されると、現在の通信設定が保存され、指示された設定変更が行われる。そして、第１設定手段によって設定された通信設定から保存されている通信設定に変更され、その変更された通信設定で所定の端末装置に前記設定変更を行うように指示する要求がなされる。そして、その要求に対応する応答を条件に、第１設定手段によって設定された通信設定の内容が所定の端末装置に送信され、その送信に対して、アクセスポイントとの通信において、インフラストラクチャーモードへの設定変更が完了したことを示す完了通知を所定の端末装置からアドホックモードで受信したことを条件に、前記第１設定手段によって設定した通信設定に再設定される。よって、所定の端末装置において設定変更が完了せず、自装置における設定変更だけが完了し、所定の端末装置と無線通信ができなくなるのを防止することができる。従って、２台の端末装置について、インフラストラクチャーモードで無線通信可能な通信設定を確実に行うことができるという効果がある。
【００１６】
請求項６記載の端末装置によれば、請求項５に記載の端末装置の奏する効果に加え、任意のアクセスポイントに対して行う操作内容が報知手段を介して報知される。そして、その報知された操作内容に対する操作が行われた場合に、第１設定手段によってインフラストラクチャーモードへの設定変更が行われる。よって、第１設定手段による設定変更を正確に行わせるのに必要な操作をユーザに報知でき、正確に第１設定手段による設定変更を行わせることができるという効果がある。
【００１７】
請求項７記載の端末装置によれば、請求項５又は６に記載の端末装置の奏する効果に加え、入力手段を介して指示が入力された後であって、要求手段によって要求をする前に、同一ネットワークに接続されている端末装置に、その端末装置を識別可能な識別情報を返信することが指示される。そして、返信される識別情報と、記憶手段に記憶されている識別情報とが一致するかが判断され、一致すると判断された場合に前記要求がなされる。よって、前記要求をする所定の端末装置を、記憶手段に記憶されている識別情報によって特定される端末装置に特定することができる。従って、無線通信可能に接続されている必要がある端末装置を、所定の端末装置とし、その所定の端末装置の識別情報を記憶手段に記憶しておくことで、その所定の端末装置との間で、インフラストラクチャーモードで無線通信可能な通信設定を確実に行うことができるという効果がある。
【００１８】
請求項８記載の端末装置によれば、所定の端末装置からインフラストラクチャーモードへの設定変更を行う要求を要求受信手段によって受信すると、現在の通信設定を保存し、要求受信手段による要求に対する応答を条件に、所定の端末装置によって設定された通信設定の内容が受信手段によって受信され、その受信した通信設定の内容により前記インフラストラクチャーモードへの設定変更が第２設定手段によって行われる。そして、第２設定手段により設定された通信設定から保存されている通信設定に変更され、その変更された通信設定で完了通知が所定の端末装置に送信され、その完了通知を送信したことを条件に、第２設定手段によって設定された通信設定に再設定される。よって、要求された設定変更が完了していないにも拘らず、所定の端末装置で設定変更がなされ、所定の端末装置と無線通信ができなくなるのを防止することができる。従って、２台の端末装置について、インフラストラクチャーモードで無線通信可能な通信設定を確実に行うことができるという効果がある。
【図面の簡単な説明】
【００１９】
【図１】（ａ）は、本発明の第１の実施形態におけるＭＦＰと、ＢＯＸと、ＡＰとの外観構成を示した斜視図である。
【図２】ＭＦＰと、ＢＯＸと、ＡＰとの電気的構成を示すブロック図である。
【図３】ＭＦＰの無線ＬＡＮ簡単設定処理を示すフローチャートである。
【図４】ＭＦＰの設定変更処理を示すフローチャートである。
【図５】ＢＯＸの要求実行処理を示すフローチャートである。
【図６】第２の実施形態におけるＭＦＰの無線ＬＡＮ簡単設定処理を示すフローチャートである。
【図７】ＭＦＰのＭＦＰ設定変更処理を示すフローチャートである。
【図８】ＭＦＰのＢＯＸ設定変更処理を示すフローチャートである。
【図９】第２の実施形態におけるＢＯＸの要求実行処理を示すフローチャートである。
【発明を実施するための形態】
【００２０】
以下、本発明の好ましい第１の実施形態について、添付図面を参照して説明する。図１は、多機能周辺装置（以下「ＭＦＰ」と称す）１と、回線制御装置（以下「ＢＯＸ」と称す）３１と、アクセスポイント（以下「ＡＰ」と称す）５１とを示した外観斜視図である。
【００２１】
ＭＦＰ１とＢＯＸ３１とは、無線ＬＡＮ方式の無線通信２００によりデータ通信が可能に構成され、ＭＦＰ１とＢＯＸ３１との間で直接又はＡＰ５１を介してデータ通信が可能に構成されている。尚、無線ＬＡＮ方式とは、例えばＩＥＥＥ８０２．１１ａ／ｂ／ｇの規格で定められる通信方式等である。
【００２２】
無線ＬＡＮ方式の無線通信２００には、通信モードとして、アドホックモード（以下「Ａｄモード」と称す）と、インフラストラクチャーモード（以下「Ｉｎｆモード」と称す）との２つのモードが設けられ、何れか一方のモードで通信が行われる。Ａｄモードは、ＭＦＰ１とＢＯＸ３１との間で直接通信を行うモードであり、Ｉｎｆモードは、ＭＦＰ１とＢＯＸ３１とがＡＰ５１を介して通信を行うモードである。
【００２３】
ＭＦＰ１とＢＯＸ３１とは、自装置１，３１とＡＰ５１との間で特別なデータ通信を実行し、ＩｎｆモードでＡＰ５１と通信可能となるように、自装置１，３１の無線ＬＡＮに関する設定項目を自動的に設定する無線ＬＡＮ簡単設定機能（図２参照）を有している。なお、無線ＬＡＮ簡単設定機能とは、例えば、ＡｉｒＳｔａｔｉｏｎ  Ｏｎｅ−Ｔｏｕｃｈ  Ｓｅｃｕｒｅ  Ｓｙｓｔｅｍ（以下「ＡＯＳＳ（登録商標）」と称す）機能や、Ｗｉ−Ｆｉ  Ｐｒｏｔｅｃｔｅｄ  Ｓｅｔｕｐ（登録商標）（以下「ＷＰＳ」と称す））機能等である。
【００２４】
ＡＰ５１は、ＡＰ５１に設けられているＡＰ簡単設定ボタン５１ａが押下されると、ＭＦＰ１またはＢＯＸ３１との間で特別なデータ通信を開始する機能を有している。
【００２５】
第１の実施形態は、ユーザがＭＦＰ１だけを操作すれば、ＭＦＰ１およびＢＯＸ３１のそれぞれに、自装置１，３１が有する無線ＬＡＮ簡単設定機能を実行させることができるという形態である。その結果、ＭＦＰ１およびＢＯＸ３１を、同一のＡＰ５１を介して互いにデータ通信可能な状態にできる。
【００２６】
なお、ＭＦＰ１およびＢＯＸ３１が共にＡｄモードで互いにデータ通信可能な状態ならば、ＭＦＰ１およびＢＯＸ３１を同一のＡＰ５１に接続することができ、ＭＦＰ１およびＢＯＸ３１が共にＩｎｆモードでＡＰ５１を介して互いにデータ通信可能な状態ならば、ＭＦＰ１およびＢＯＸ３１の接続先となるＡＰ５１を変更できる（接続中のＡＰ５１とは別のＡＰ５１に接続できる）。
【００２７】
ＭＦＰ１には、主に、下部にプリンタ１９、上部にスキャナ２０、正面上部に操作パネル６が設けられている。プリンタ１９はインクジェット方式のプリンタ、スキャナ２０はフラットベッドスキャナとして構成されている。
【００２８】
操作パネル６には、操作キー１７、ＬＣＤ１８が主に設けられている。操作キー１７には、ＭＦＰ簡単設定ボタン１７ａが設けられており、ＭＦＰ簡単設定ボタン１７ａが押下されると、後述する無線ＬＡＮ簡単設定処理（図３参照）の実行が開始される。
【００２９】
ＢＯＸ３１は、主に、電話回線網１００を使用する通信の制御を行うものであり、電話回線網１００に接続されている。ＢＯＸ３１には、主に、操作キー３８、ＬＣＤ３９が設けられている。ＡＰ５１は、無線ＬＡＮ方式の無線通信２００によりデータ通信が可能に構成された既知の中継装置である。
【００３０】
図２は、ＭＦＰ１と、ＢＯＸ３１と、ＡＰ５１との電気的構成を示すブロック図である。ＭＦＰ１は、ＣＰＵ１１、ＲＯＭ１２、ＲＡＭ１３、フラッシュメモリ１４、無線ＬＡＮ通信制御回路１５、操作キー１７、ＬＣＤ１８、プリンタ１９、スキャナ２０とを主に有している。
【００３１】
ＣＰＵ１１、ＲＯＭ１２、ＲＡＭ１３、フラッシュメモリ１４は、バスライン２１を介して互いに接続されている。また、無線ＬＡＮ通信制御回路１５、操作キー１７、ＬＣＤ１８、プリンタ１９、スキャナ２０、バスライン２１は、入出力ポート２２を介して互いに接続されている。
【００３２】
ＣＰＵ１１は、ＲＯＭ１２等に記憶される固定値やプログラム或いは、無線ＬＡＮ通信制御回路１５を介して送受信される各種信号に従って、各機能の制御や、入出力ポート２２と接続された各部を制御するものである。
【００３３】
ＲＯＭ１２は、ＭＦＰ１で実行される制御プログラムなどを格納した書換不能なメモリであり、後述する図３に示す無線ＬＡＮ簡単設定処理、図４に示す設定変更処理を実行する各プログラムが格納されている。ＲＡＭ１３は、書換可能な揮発性のメモリである。フラッシュメモリ１４は、書換可能な不揮発性のメモリであり、識別情報メモリ１４ａと、旧ネットワーク設定メモリ１４ｂと、新ネットワーク設定メモリ１４ｃとが割当てられている。
【００３４】
この識別情報メモリ１４ａには、ネットワーク上においてＢＯＸ３１を識別可能な識別情報が記憶されており、本実施形態では、ＭＡＣアドレス（Ｍｅｄｉａ  Ａｃｃｅｓｓ  Ｃｏｎｔｒｏｌ  ａｄｄｒｅｓｓ）が格納されている。
【００３５】
旧ネットワーク設定メモリ１４ｂは、無線ＬＡＮ簡単設定機能を使用して、ＩｎｆモードでＡＰ５１とデータ通信可能となるように、自装置（ＭＦＰ１）の無線ＬＡＮに関する設定項目を自動的に設定（変更）する場合に、設定変更前の無線ＬＡＮに関する設定内容を記憶するためのメモリである。
【００３６】
新ネットワーク設定メモリ１４ｃは、無線ＬＡＮ簡単設定機能を使用して、自装置１の無線ＬＡＮに関する設定項目を自動的に設定（変更）した場合に、設定変更後の新たな無線ＬＡＮに関する設定内容を記憶するためのメモリである。
【００３７】
無線ＬＡＮ通信制御回路１５は、（無線ＬＡＮ方式の）無線通信２００によるデータ通信の各種制御を行うものであり、無線ＬＡＮ簡単設定機能（例えば、ＡＯＳＳ（登録商標）機能やＷＰＳ機能など）１５ａと、無線ＬＡＮ用アンテナ１６とを有している。この無線ＬＡＮ通信制御回路１５は、他の通信装置（例えば、ＢＯＸ３１や、ＡＰ５１など）との間で無線通信２００を行いながら、各種のデータを構成するデジタル信号を送受信するものである。
【００３８】
ＢＯＸ３１は、ＣＰＵ３２、ＲＯＭ３３、ＲＡＭ３４、フラッシュメモリ３５、無線ＬＡＮ通信制御回路３６、操作キー３８、ＬＣＤ３９、モデム４０、ＮＣＵ４１とを主に有している。ＣＰＵ３２、ＲＯＭ３３、ＲＡＭ３４、フラッシュメモリ３５は、バスライン４２を介して互いに接続されている。また、無線ＬＡＮ通信制御回路３６、操作キー３８、ＬＣＤ３９、モデム４０、ＮＣＵ４１、バスライン４２は、入出力ポート４３を介して互いに接続されている。
【００３９】
ＣＰＵ３２は、上述したＭＦＰ１のＣＰＵ１１と同様に構成されているので、その説明を省略する。以下同様に、ＲＡＭ３４はＲＡＭ１３と、操作キー３８は操作キー１７と、ＬＣＤ３９はＬＣＤ１８と、各々同様に構成されているので、その説明を省略する。
【００４０】
ＲＯＭ３３は、ＢＯＸ３１で実行される制御プログラムなどを格納した書換不能なメモリであり、後述する図５の要求実行処理を実行するプログラムが格納されている。フラッシュメモリ３５は、書換可能な不揮発性のメモリであり、旧ネットワーク設定メモリ３５ａと、新ネットワーク設定メモリ３５ｂとが設けられている。
【００４１】
旧ネットワーク設定メモリ３５ａは、上述した旧ネットワーク設定メモリ１４ｂと同様に構成されており、新ネットワーク設定メモリ３５ｂは、上述した新ネットワーク設定メモリ１４ｃと同様に構成されているので、各々の説明を省略する。
【００４２】
無線ＬＡＮ通信制御回路３６は、上述したＭＦＰ１の無線ＬＡＮ通信制御回路１５と同様に構成されている。モデム４０は、ファクシミリ機能によって送信する原稿データを、電話回線網１００に伝送可能な信号に変調してＮＣＵ４１を介して送信したり、電話回線網１００からＮＣＵ４１を介して入力された信号を受信し、原稿データへ復調するものである。
【００４３】
次に、図３及び図４を参照して、ＭＦＰ１のＣＰＵ１１により実行される無線ＬＡＮ簡単設定処理について説明する。なお、ＭＦＰ１およびＢＯＸ３１は共にＡｄモードで互いにデータ通信可能な状態であるものとして説明する。無線ＬＡＮ簡単設定処理は、ＭＦＰ１のＭＦＰ簡単設定ボタン１７ａが押下された場合に実行される処理である。図３に示すように、この無線ＬＡＮ簡単設定処理では、まず、設定変更処理を実行する（Ｓ１）。
【００４４】
ここで、図４を参照して、ＭＦＰ１のＣＰＵ１１により実行される設定変更処理（Ｓ１）について説明する。図４に示すように、この設定変更処理では、まず、ＭＦＰ１が接続されているネットワーク上において、ＢＯＸ３１の存在を確認すべく、ＳＮＭＰ（Ｓｉｍｐｌｅ  Ｎｅｔｗｏｒｋ  Ｍａｎａｇｅｍｅｎｔ  Ｐｒｏｔｏｃｏｌ）によるＭＡＣアドレスの取得を行う。具体的には、ＭＡＣアドレスの通知を要求するＳＮＭＰパケットを生成し、そのＳＮＭＰパケットをネットワーク上に存在する端末装置に送信する（Ｓ２１）。そして、ＳＮＭＰパケットを受けた端末装置から取得したＭＡＣアドレスと、識別情報メモリ１４ａに記憶されているＭＡＣアドレスとが一致するかを判定する（Ｓ２２）。
【００４５】
その結果、一致しないと判定した場合には（Ｓ２２：Ｎｏ）、ＢＯＸ３１が存在しないとして、Ｓ２９の処理へ移行する。一方、一致すると判定した場合には（Ｓ２２：Ｙｅｓ）、ＢＯＸ３１が存在するとして、ＢＯＸ３１へ「無線ＬＡＮ簡単設定機能の実行開始要求」を送信し（Ｓ２３）、ＢＯＸ３１へ「無線ＬＡＮ簡単設定機能の実行開始要求」を送信してから、既定時間（タイムアウト時間）が経過したかを判定する（Ｓ２４）。
【００４６】
既定時間が経過していない場合には（Ｓ２４：Ｎｏ）、ＢＯＸ３１から送信されてくる「無線ＬＡＮ簡単設定機能の実行開始要求を受信したことを示す実行開始要求の応答」を受信したかを判定する（Ｓ２５）。一方、Ｓ２４の処理において、既定時間（タイムアウト時間）が経過した場合には（Ｓ２４：Ｙｅｓ）、Ｓ２９の処理へ移行する。
【００４７】
Ｓ２５の処理において、「実行開始要求の応答」を受信していない場合には（Ｓ２５：Ｎｏ）、Ｓ２４の処理に戻り、Ｓ２４及びＳ２５の処理を繰り返す。一方、Ｓ２５の処理において、「実行開始要求の応答」を受信した場合には（Ｓ２５：Ｙｅｓ）、例えば、ＬＣＤ１８に「ＢＯＸの設定を開始します。ＡＰの簡単設定ボタンを押して、しばらくお待ち下さい。」と表示する（Ｓ２６）。
【００４８】
次に、ＢＯＸ３１から送信されてきた「実行開始要求の応答」を受信してから、既定時間（タイムアウト時間）が経過したかを判定し（Ｓ２７）、既定時間が経過していない場合には（Ｓ２７：Ｎｏ）、ＢＯＸ３１から送信されてくる「設定（変更）が完了したことを示す設定完了通知」を受信したかを判定する（Ｓ２８）。一方、Ｓ２７の処理において、既定時間（タイムアウト時間）が経過した場合には（Ｓ２７：Ｙｅｓ）、Ｓ２９の処理へ移行する。
【００４９】
Ｓ２９の処理では、ＢＯＸ３１の無線ＬＡＮに関する設定が正常終了しなかったことを報知するために、例えば、ＬＣＤ１８に「ＢＯＸの無線ＬＡＮ簡単設定機能を使用できませんでした。」と表示し（Ｓ２９）、Ｓ４２の処理へ移行する。Ｓ２８の処理において、「設定完了通知」を受信していない場合には（Ｓ２８：Ｎｏ）、Ｓ２７の処理に戻り、Ｓ２７及びＳ２８の各処理を繰り返す。
【００５０】
一方、Ｓ２８の処理において、「設定完了通知」を受信した場合には（Ｓ２８：Ｙｅｓ）、ＢＯＸ３１へ「設定完了通知を受信したことを示す設定完了通知の応答」を送信し（Ｓ３０）、例えば、ＬＣＤ１８に「ＭＦＰの設定を開始します。もう一度、ＡＰの簡単設定ボタンを押して、しばらくお待ち下さい。」と表示し（Ｓ３１）、現在の無線ＬＡＮに関する各種設定内容を、フラッシュメモリ１４の旧ネットワーク設定メモリ１４ｂに記憶する（Ｓ３２）。
【００５１】
次に、ＭＦＰ１が有する無線ＬＡＮ簡単設定機能を実行する（Ｓ３３）。ＭＦＰ１において、無線ＬＡＮ簡単設定機能が実行開始されると、ＭＦＰ１とＡＰ５１との間で特別なデータ通信が実行され、ＩｎｆモードでＡＰ５１とデータ通信可能となるように、自装置１の無線ＬＡＮに関する設定項目が自動的に設定（変更）される。
【００５２】
次に、ＭＦＰ１の無線ＬＡＮ簡単設定機能を実行してから、規定時間（タイムアウト時間）が経過したかを判定し（Ｓ３４）、規定時間が経過した場合には（Ｓ３４：Ｙｅｓ）、例えば、ＬＣＤ１８に「ＭＦＰの無線ＬＡＮ簡単設定機能を使用できませんでした。」と表示して（Ｓ３６）、Ｓ４２の処理へ移行する。
【００５３】
一方、Ｓ３４の処理において、規定時間が経過していない場合には（Ｓ３４：Ｎｏ）、ＭＦＰ１の無線ＬＡＮの設定が終了したかを判定する（Ｓ３５）。ＭＦＰ１の無線ＬＡＮの設定が終了していない場合には（Ｓ３５：Ｎｏ）、Ｓ３４の処理に戻り、Ｓ３４及びＳ３５の各処理を繰り返す。Ｓ３５の処理において、ＭＦＰ１の無線ＬＡＮの設定が終了した場合には（Ｓ３５：Ｙｅｓ）、設定された新たな無線ＬＡＮに関する各種設定内容を、新ネットワーク設定メモリ１４ｃに記憶して（Ｓ３７）、ＭＦＰ１の無線ＬＡＮに関する各種設定内容を、一旦、旧ネットワーク設定メモリ１４ｂの内容に戻す（Ｓ３８）。
【００５４】
即ち、ＡｄモードでＢＯＸ３１と直接データ通信可能な状態に戻す。そして、ＢＯＸ３１へ「Ｉｎｆモードへの切替指示」を送信し（Ｓ３９）、ＢＯＸ３１へ「Ｉｎｆモードへの切替指示」を送信してから、規定時間（タイムアウト時間）が経過したかを判定する（Ｓ４０）。
【００５５】
Ｓ４０の処理において、既定時間を経過した場合には（Ｓ４０：Ｙｅｓ）、Ｓ４２の処理へ移行する。Ｓ４２の処理では、例えば、ＬＣＤ１８に、「ＭＦＰおよびＢＯＸの設定を中止します。」と表示して（Ｓ４２）、この設定変更処理を終了する。一方、Ｓ４０の処理において、既定時間を経過していない場合には（Ｓ４０：Ｎｏ）、ＢＯＸ３１から送信されてくる「切替実行通知」を受信したかを判定し（Ｓ４１）、「切替実行通知」を受信していない場合には（Ｓ４１：Ｎｏ）、Ｓ４０の処理に戻り、Ｓ４０及びＳ４１の各処理を繰り返す。
【００５６】
一方、Ｓ４１の処理において、「切替実行通知」を受信した場合には（Ｓ４１：Ｙｅｓ）、ＭＦＰ１の無線ＬＡＮに関する各種設定内容を、新ネットワーク設定メモリ１４ｃの内容に戻す（Ｓ４３）。即ち、ＩｎｆモードでＡＰ５１とデータ通信可能な状態に戻す。そして、この設定変更処理を終了する。
【００５７】
以上の図４に示す設定変更処理により、ＭＦＰ１とＢＯＸ３１との両方が、ＩｎｆモードでＡＰ５１とデータ通信可能であると確認できた場合に限り、ＭＦＰ１とＢＯＸ３１との通信設定を共に、ＡＰ５１を介して互いにデータ通信可能な状態に変更できる。即ち、ＭＦＰ１とＢＯＸ３１との一方が、ＩｎｆモードでＡＰ５１とデータ通信不可能な場合には、ＭＦＰ１とＢＯＸ３１との通信設定は共に変更されないので、ＭＦＰ１とＢＯＸ３１とがデータ通信不可能な状態になることを抑制できる。
【００５８】
ここで、図３の説明に戻る。設定変更処理（Ｓ１）が終了したら、次に、ＭＦＰ１とＢＯＸ３１との設定が共に正常に終了したかを判定する（Ｓ２）。ＭＦＰ１とＢＯＸ３１との一方の設定が正常に終了しなかった場合には（Ｓ２：Ｎｏ）、無線ＬＡＮ簡単設定処理を終了する。一方、ＭＦＰ１とＢＯＸ３１との設定が共に正常に終了した場合には（Ｓ２：Ｙｅｓ）、ＭＡＣアドレスの通知を要求するＳＮＭＰパケットを生成し、そのＳＮＭＰパケットをネットワーク上に存在する端末装置に送信する（Ｓ３）。
【００５９】
そして、ＳＮＭＰパケットを受けた端末装置から取得したＭＡＣアドレスと、識別情報メモリ１４ａに記憶されているＭＡＣアドレスとが一致するかを判定し（Ｓ４）、一致すると判定した場合には（Ｓ４：Ｙｅｓ）、例えば、ＬＣＤ１８に「ＢＯＸと通信可能です。ＭＦＰおよびＢＯＸの設定が正常に終了しました。」と表示して（Ｓ５）、無線ＬＡＮ簡単設定処理を終了する。ユーザは、ＬＣＤ１８を確認することで、ＭＦＰ１において無線ＬＡＮ簡単設定処理が正常に実行されたかを確認することができる。
【００６０】
一方、Ｓ４の処理において、一致しないと判定した場合には（Ｓ４：Ｎｏ）、例えば、ＬＣＤ１８に「ＢＯＸと通信できません。ＭＦＰおよびＢＯＸのネットワーク設定を確認して下さい。」と表示して（Ｓ６）、無線ＬＡＮ簡単設定処理を終了する。
【００６１】
以上の図３に示す無線ＬＡＮ簡単設定処理により、ＭＦＰ１のＭＦＰ簡単設定ボタン１７ａが押下された場合に、ＭＦＰ１とＢＯＸ３１とに各々れ無線ＬＡＮ簡単設定機能を実行させることができる。よって、ユーザは、ＭＦＰ１とＢＯＸ３１とを各々れ操作して、各装置１，３１の無線ＬＡＮ簡単設定機能を実行しなくても、ＭＦＰ１を操作すれば、各装置１，３１の無線ＬＡＮ簡単設定機能を各々れ実行できるので、使い勝手が良い。また、ＭＦＰ１とＢＯＸ３１とが、ＩｎｆモードでＡＰ５１を介して互いにデータ通信可能な状態に変更できたか否かの結果をＬＣＤ１８に表示させることができる。
【００６２】
また、ＭＦＰ１は多機能を有する装置であり、ＢＯＸ３１は、主に、電話回線網１００を使用する通信の制御を行う装置であるので、ＢＯＸ３１よりもＭＦＰ１の方が筐体（図１参照）もＬＣＤの表示領域も大きい構成となる。本実施形態では、ユーザは、ＭＦＰ１のＬＣＤ１８を見ながらＢＯＸ３１を操作するという構成なので、ＢＯＸ３１のＬＣＤ３９を見ながらＢＯＸ３１を直接操作する場合よりも、より多くの情報を一度にＬＣＤ１８に表示させることができる。よって、ＢＯＸ３１の設定状態や、設定の進行状況をより詳細に表示させることができ、ユーザの使い勝手を良くできる。
【００６３】
次に、図５を参照して、ＢＯＸ３１のＣＰＵ３２により実行される要求実行処理について説明する。なお、ＭＦＰ１およびＢＯＸ３１は共にＡｄモードで互いにデータ通信可能な状態であるものとして説明する。要求実行処理は、ＢＯＸ３１の主電源が投入されてから主電源が遮断されるまで繰り返し実行される処理である。
【００６４】
図５に示すように、この要求実行処理では、まず、ＭＦＰ１から送信されてくる「ＳＮＭＰパケット」を受信したかを判定し（Ｓ５１）、「ＳＮＭＰパケット」を受信した場合には（Ｓ５１：Ｙｅｓ）、ＭＦＰ１へ「ＭＡＣアドレス」を送信する（Ｓ５２）。一方、「ＳＮＭＰパケット」を受信していない場合には（Ｓ５１：Ｎｏ）、Ｓ５３の処理へ移行する。
【００６５】
次に、ＭＦＰ１から送信されてくる「無線ＬＡＮ簡単設定機能の実行開始要求」を受信したかを判定する（Ｓ５３）。「無線ＬＡＮ簡単設定機能の実行開始要求」を受信していない場合には（Ｓ５３：Ｎｏ）、Ｓ５１の処理に戻り、Ｓ５１〜Ｓ５３の各処理を繰り返す。
【００６６】
Ｓ５３の処理において、「無線ＬＡＮ簡単設定機能の実行開始要求」を受信した場合には（Ｓ５３：Ｙｅｓ）、ＭＦＰ１へ「実行開始要求の応答」を送信して（Ｓ５４）、現在の無線ＬＡＮに関する各種設定内容を、フラッシュメモリ３５の旧ネットワーク設定メモリ３５ａに記憶する（Ｓ５５）。次に、ＢＯＸ３１が有する無線ＬＡＮ簡単設定機能を実行し（Ｓ５６）、その無線ＬＡＮ簡単設定機能を実行してから、規定時間（タイムアウト時間）が経過したかを判定する（Ｓ５７）。
【００６７】
ＢＯＸ３１において、無線ＬＡＮ簡単設定機能が実行されると、ＡＰ５１との間で特別なデータ通信が実行され、ＩｎｆモードでＡＰ５１とデータ通信可能となるように、自装置３１の無線ＬＡＮに関する設定項目が自動的に設定（変更）される。なお、設定が完了した後は、ＢＯＸ３１はＩｎｆモードとなり、ＡＰ５１とデータ通信可能な状態になる一方、ＭＦＰ１とはデータ通信が不可能な状態になる。
【００６８】
Ｓ５７の処理において、規定時間が経過した場合には（Ｓ５７：Ｙｅｓ）、ＢＯＸ３１の無線ＬＡＮ簡単設定機能が正常に実行されていない場合なので、Ｓ６６の処理へ移行する。一方、Ｓ５７の処理において、規定時間（タイムアウト時間）を経過していない場合には（Ｓ５７：Ｎｏ）、ＢＯＸ３１の無線ＬＡＮの設定が終了したかを判定する（Ｓ５８）。ＢＯＸ３１の無線ＬＡＮの設定が終了していない場合には（Ｓ５８：Ｎｏ）、Ｓ５７の処理に戻り、Ｓ５７及びＳ５８の各処理を繰り返す。
【００６９】
Ｓ５８の処理において、ＢＯＸ３１の無線ＬＡＮの設定が終了した場合には（Ｓ５８：Ｙｅｓ）、設定された新たな無線ＬＡＮに関する各種設定内容を、新ネットワーク設定メモリ３５ｂに記憶する（Ｓ５９）。
【００７０】
次に、ＭＦＰ１に設定完了を通知するために、ＢＯＸ３１の無線ＬＡＮに関する各種設定内容を、一旦、旧ネットワーク設定メモリ３５ａの内容に戻す（Ｓ６０）。即ち、ＡｄモードでＭＦＰ１と直接データ通信可能な状態に戻す。そして、ＭＦＰ１へ「設定完了通知」を送信し（Ｓ６１）、ＭＦＰ１へ「設定完了通知」を送信してから、規定時間（タイムアウト時間）が経過したかを判定する（Ｓ６２）。
【００７１】
Ｓ６２の処理において、既定時間を経過した場合には（Ｓ６２：Ｙｅｓ）、Ｓ６６の処理へ移行する。一方、既定時間を経過していない場合には（Ｓ６２：Ｎｏ）、ＭＦＰ１から送信されてくる「設定完了通知の応答」を受信したかを判定し（Ｓ６３）、「設定完了通知の応答」を受信していない場合には（Ｓ６３：Ｎｏ）、Ｓ６２の処理に戻り、Ｓ６２及びＳ６３の各処理を繰り返す。
【００７２】
一方、Ｓ６３の処理において、「設定完了通知の応答」を受信した場合には（Ｓ６３：Ｙｅｓ）、ＭＦＰ１からの「設定完了通知の応答」を受信してから、規定時間（タイムアウト時間）が経過したかを判定する（Ｓ６４）。既定時間を経過した場合には（Ｓ６４：Ｙｅｓ）、Ｓ６６の処理へ移行する。Ｓ６６の処理では、ＢＯＸ３１の無線ＬＡＮに関する各種設定内容を、旧ネットワーク設定メモリ３５ａの内容に戻す（Ｓ６６）。その後、Ｓ５１の処理に戻り、Ｓ５１〜Ｓ６６の各処理を繰り返す。
【００７３】
一方、Ｓ６４の処理において、既定時間を経過していない場合には（Ｓ６４：Ｎｏ）、ＭＦＰ１から送信されてくる「Ｉｎｆモードへの切替指示」を受信したかを判定する（Ｓ６５）。「Ｉｎｆモードへの切替指示」を受信していない場合には（Ｓ６５：Ｎｏ）、Ｓ６４の処理に戻り、Ｓ６４及びＳ６５の各処理を繰り返す。
【００７４】
一方、Ｓ６５の処理において、「Ｉｎｆモードへの切替指示」を受信した場合には（Ｓ６５：Ｙｅｓ）、ＭＦＰ１へ「切替完了通知」を送信してから（Ｓ６７）、ＢＯＸ３１の無線ＬＡＮに関する各種設定内容を、新ネットワーク設定メモリ３５ｂの内容に戻す（Ｓ６８）。即ち、ＩｎｆモードでＡＰ５１とデータ通信可能な状態に戻す。そして、Ｓ５１の処理に戻り、Ｓ５１〜Ｓ６８の各処理を繰り返す。
【００７５】
以上の図５に示す要求実行処理により、ＭＦＰ１から送信されてくる「無線ＬＡＮ簡単設定機能の実行開始要求」を受信した場合に、ＢＯＸ３１が有する無線ＬＡＮ簡単設定機能を実行開始して、ＢＯＸ３１の無線ＬＡＮに関する各種設定内容を、ＡＰ５１とデータ通信可能な状態に設定（変更）できる。
【００７６】
また、無線ＬＡＮ簡単設定機能を実行し、正常に設定が変更された後（例えば、Ｉｎｆモードに変更後）に、一旦、変更前の設定（例えば、Ａｄモード）に戻して、ＭＦＰ１へ設定が完了したことを示す「設定完了通知」を送信できる。Ｉｎｆモードでデータ通信を行う場合には、ＭＦＰ１とＢＯＸ３１とは共に、ＡＰ５１を介してデータ通信を行うので、ＡＰ５１に不具合（通信障害など）が生じている場合などには、ＭＦＰ１とＢＯＸ３１との間で、データ通信が正常に行えないことがある。しかしながら、Ａｄモードでデータ通信を行うので、ＡＰ５１に不具合が生じていてもその影響を受けない。従って、ＭＦＰ１は、ＢＯＸ３１の設定が正常に変更されたかを精度良く検出できる。
【００７７】
次に、本発明の第２の実施形態について説明する。第２の実施形態では第１の実施形態と異なる部分についてのみ説明する。ＭＦＰ１のＲＯＭ１２（不図示）には、後述する図６の無線ＬＡＮ簡単設定処理、図７のＭＦＰ設定変更処理、図８のＢＯＸ設定変更処理を実行するプログラムが格納され、ＢＯＸ３１のＲＯＭ３３（不図示）には、後述する図９の要求実行処理を実行するプログラムが格納されている。
【００７８】
次に、図６〜図８を参照して、第２の実施形態におけるＭＦＰ１のＣＰＵ１１により実行される無線ＬＡＮ簡単設定処理について説明する。なお、ＭＦＰ１およびＢＯＸ３１は共にＡｄモードで互いにデータ通信可能な状態であるものとして説明する。
【００７９】
この処理は、ＭＦＰ１のＭＦＰ簡単設定ボタン１７ａが押下された場合に実行される。なお、上述した第１の実施形態と同一の処理を実行するステップについては、同一の符号を付してその説明を省略する。
【００８０】
図６に示すように、この無線ＬＡＮ簡単設定処理では、まず、ＭＦＰ設定変更処理を実行する（Ｓ８１）。ここで、図７を参照して、ＭＦＰ１のＣＰＵ１１により実行されるＭＦＰ設定変更処理（Ｓ８１）について説明する。図７に示すように、このＭＦＰ設定変更処理では、まず、現在の無線ＬＡＮに関する各種設定内容を、旧ネットワーク設定メモリ１４ｂに記憶する（Ｓ９１）。次に、例えば、ＬＣＤ１８に「ＭＦＰの設定を開始します。ＡＰの簡単設定ボタンを押して、しばらくお待ち下さい。」と表示し（Ｓ９２）、ＭＦＰ１が有する無線ＬＡＮ簡単設定機能を実行する（Ｓ９３）。
【００８１】
ＭＦＰ１において、無線ＬＡＮ簡単設定機能が実行開始されると、ＭＦＰ１とＡＰ５１との間で特別なデータ通信が実行され、ＩｎｆモードでＡＰ５１とデータ通信可能となるように、自装置の無線ＬＡＮに関する設定項目が自動的に設定（変更）される。
【００８２】
次に、ＭＦＰ１の無線ＬＡＮ簡単設定機能を実行してから、規定時間（タイムアウト時間）が経過したかを判定し（Ｓ９４）、規定時間が経過した場合には（Ｓ９４：Ｙｅｓ）、例えば、ＬＣＤ１８に「ＭＦＰの無線ＬＡＮ簡単設定機能を使用できませんでした。ＭＦＰおよびＢＯＸの設定を中止します。」と表示して（Ｓ９６）、Ｓ９８の処理へ移行する。
【００８３】
一方、Ｓ９４の処理において、規定時間が経過していない場合には（Ｓ９４：Ｎｏ）、ＭＦＰ１の無線ＬＡＮの設定が終了したかを判定する（Ｓ９５）。ＭＦＰ１の無線ＬＡＮの設定が終了していない場合には（Ｓ９５：Ｎｏ）、Ｓ９４の処理に戻り、Ｓ９４及びＳ９５の各処理を繰り返す。
【００８４】
Ｓ９５の処理において、ＭＦＰ１の無線ＬＡＮの設定が終了した場合には（Ｓ９５：Ｙｅｓ）、設定された新たな無線ＬＡＮに関する各種設定内容を、新ネットワーク設定メモリ１４ｃに記憶して（Ｓ９７）、Ｓ９８の処理へ移行する。Ｓ９８の処理では、ＭＦＰ１の無線ＬＡＮに関する各種設定内容を、旧ネットワーク設定メモリ１４ｂの内容に戻す（Ｓ９８）。即ち、ＡｄモードでＢＯＸ３１と直接データ通信可能な状態に戻す。そして、このＭＦＰ設定変更処理を終了する。
【００８５】
ここで、図６の説明に戻る。ＭＦＰ設定変更処理（Ｓ８１）が終了したら、次に、ＭＦＰ１の設定が正常に終了したかを判定する（Ｓ８２）。ＭＦＰ１の設定が正常に終了しなかった場合には（Ｓ８２：Ｎｏ）、無線ＬＡＮ簡単設定処理を終了する。
【００８６】
Ｓ８２の処理において、ＭＦＰ１の設定が正常に終了した場合には（Ｓ８２：Ｙｅｓ）、ＢＯＸ設定変更処理を実行する（Ｓ８３）。ここで、図８を参照して、ＭＦＰ１のＣＰＵ１１により実行されるＢＯＸ設定変更処理（Ｓ８３）について説明する。
【００８７】
図８に示すように、このＢＯＸ設定変更処理では、まず、Ｓ２１およびＳ２２の処理（図４参照）を実行する。Ｓ２２の処理において、ＳＮＭＰパケットを受けた端末装置から取得したＭＡＣアドレスと、識別情報メモリ１４ａに記憶されているＭＡＣアドレスとが一致しないと判定した場合には（Ｓ２２：Ｎｏ）、ＢＯＸ３１が存在しないとして、Ｓ１０８の処理へ移行する。
【００８８】
一方、Ｓ２２の処理において、一致すると判定した場合には（Ｓ２２：Ｙｅｓ）、ＢＯＸ３１が存在するとして、例えば、ＬＣＤ１８に「ＢＯＸの設定を開始します。しばらくお待ち下さい。」と表示し（Ｓ１０１）、ＢＯＸ３１へ「通信設定の変更開始要求」を送信する（Ｓ１０２）。次に、ＢＯＸ３１へ「通信設定の変更開始要求」を送信してから、規定時間（タイムアウト時間）が経過したかを判定する（Ｓ１０３）。Ｓ１０３の処理において、既定時間を経過した場合には（Ｓ１０３：Ｙｅｓ）、Ｓ１０８の処理へ移行する。一方、既定時間を経過していない場合には（Ｓ１０３：Ｎｏ）、ＢＯＸ３１から送信されてくる「通信設定の変更開始要求を受信したことを示す変更開始要求の応答」を受信したかを判定し（Ｓ１０４）、「変更開始要求の応答」を受信していない場合には（Ｓ１０４：Ｎｏ）、Ｓ１０３の処理に戻り、Ｓ１０３及びＳ１０４の各処理を繰り返す。
【００８９】
一方、Ｓ１０４の処理において、「変更開始要求の応答」を受信した場合には（Ｓ１０４：Ｙｅｓ）、新ネットワーク設定メモリ１４ｃに記憶されている新たに設定（変更）された無線ＬＡＮの各種設定内容のデータを、暗号化してＢＯＸ３１へ送信する（Ｓ１０５）。
【００９０】
例えば、データを暗号化して送信しても良いし、暗号化方式の無線通信２００を行っても良い。無線通信２００の暗号化方式には、例えば、ＷＥＰや、ＴＫＩＰや、ＡＥＳなどがある。暗号化してデータを送信することで、ＡＰ５１に対して不正なアクセスが行われたり、不正にデータが閲覧、操作（改ざん）が行われるのを防止できる。
【００９１】
また、暗号化してＢＯＸ３１へ送信するデータには、例えば、ＭＦＰ１がＡＰ５１との間でデータ通信するための設定内容と、ＭＦＰ１がＴＣＰ／ＩＰを使用するための設定内容とが含まれている。ＡＰ５１との間でデータ通信するための設定内容としては、例えば、通信モード、認証タイプ、暗号化モード、暗号化キーの種別、パスワード（暗号化キー）の設定内容などが該当する。なお、これらの各設定項目の設定内容（パラメータ）は、上述したＳ９３（図７参照）の処理によって、各設定項目ごとに一つずつパラメータが自動的に設定される。
【００９２】
より具体的には、通信モードは、Ａｄモード、および、Ｉｎｆモードの一方がパラメータとして設定され、認証タイプは、Ｏｐｅｎ  Ｓｙｓｔｅｍと、Ｓｈａｒｅｄ  Ｋｅｙと、ＷＰＡ−ＰＳＫと、ＷＰＡ２−ＰＳＫとの中で、ＭＦＰ１とＢＯＸ３１とが使用可能な最もセキュリティレベルの高いものがパラメータとして設定される。
【００９３】
また、暗号化モードは、Ｎｏｎｅ（無し）と、ＷＥＰと、ＴＫＩＰと、ＡＥＳとの中で、認証タイプに応じたものがパラメータとして設定され、暗号化キーの種別は、無しと、ＷＥＰ  Ｋｅｙと、一時キーとの中で、認証タイプに応じたものがパラメータとして設定される。そして、パスワード（暗号化キー）は、暗号化キーの種別が無しの場合には、何も設定されず、暗号化キーの種別がＷＥＰ  Ｋｅｙ、又は、一時キーの場合には、ユニークなパスワードが設定される。
【００９４】
一方、ＴＣＰ／ＩＰを使用するための設定内容としては、例えば、ＩＰアドレス取得方法、デフォルトゲートウェイ、ＷＩＮＳ設定、ＷＩＮＳサーバ、ＤＮＳサーバの設定内容などが該当する。なお、これらの各種設定項目の設定内容（パラメータ）は、上述したＳ９３（図７参照）の処理によって、各設定項目ごとに一つずつパラメータが自動的に設定される場合や、予めユーザなどによって設定（変更）される場合などがある。
【００９５】
より具体的には、ＩＰアドレス取得方法は、ＤＨＣＰ、および、ＡＵＴＯ（自動選択）の一方がパラメータとして設定され、デフォルトゲートウェイは、デフォルトゲートウェイとなる通信装置のＩＰアドレスが設定される。また、ＷＩＮＳ設定は、ＩＰアドレスの取得方法がＤＨＣＰの場合には、Ａｕｔｏが設定され、ＩＰアドレスの取得方法がＡＵＴＯの場合には、Ｓｔａｔｉｃが設定される。
【００９６】
そして、ＷＩＮＳサーバは、ＷＩＮＳサーバのプライマリアドレスと、セカンダリアドレスとが設定され、ＤＮＳサーバは、ＤＮＳサーバのプライマリアドレスと、セカンダリアドレスとが設定される。
【００９７】
次に、ＢＯＸ３１へ暗号化したデータ（即ち、新たに設定（変更）された無線ＬＡＮに関する設定項目のデータ）を送信してから、規定時間（タイムアウト時間）が経過したかを判定する（Ｓ１０６）。既定時間を経過した場合には（Ｓ１０６：Ｙｅｓ）、Ｓ１０８の処理へ移行する。
【００９８】
一方、Ｓ１０６の処理において、既定時間を経過していない場合には（Ｓ１０６：Ｎｏ）、ＢＯＸ３１から暗号化され送信されてくる「無線ＬＡＮに関する設定項目の設定が正常に完了したことを示す変更完了通知」を受信したかを判定し（Ｓ１０７）、「変更完了通知」を受信していない場合には（Ｓ１０７：Ｎｏ）、Ｓ１０６の処理に戻り、Ｓ１０６及びＳ１０７の各処理を繰り返す。
【００９９】
一方、Ｓ１０７の処理において、「変更完了通知」を受信した場合には（Ｓ１０７：Ｙｅｓ）、Ｓ３９、Ｓ４０、Ｓ４１、及びＳ４３の処理（図４参照）を実行して、このＢＯＸ設定変更処理を終了する。尚、Ｓ４０の処理において、ＢＯＸ３１へ「Ｉｎｆモードへの切替指示」を送信してから、規定時間（タイムアウト時間）が経過した場合には（Ｓ４０：Ｙｅｓ）、Ｓ１０８の処理へ移行する。Ｓ１０８の処理では、例えば、ＬＣＤ１８に、「ＢＯＸのネットワーク設定を変更できませんでした。ＭＦＰおよびＢＯＸの設定を中止します。」と表示して（Ｓ１０８）、この設定変更処理を終了する。
【０１００】
以上の図８に示すＢＯＸ設定変更処理により、ＭＦＰ１とＢＯＸ３１との両方が、ＩｎｆモードでＡＰ５１とデータ通信可能であると確認できた場合に限り、ＭＦＰ１とＢＯＸ３１との通信設定を共に、ＡＰ５１を介して互いにデータ通信可能な状態に変更できる。よって、ＭＦＰ１とＢＯＸ３１とがデータ通信不可能な状態になることを抑制できる。
【０１０１】
ここで、図６の説明に戻る。ＢＯＸ設定変更処理（Ｓ８３）が終了したら、次に、ＢＯＸ３１の設定が正常に終了したかを判定する（Ｓ８４）。ＢＯＸ３１の設定が正常に終了しなかった場合には（Ｓ８４：Ｎｏ）、無線ＬＡＮ簡単設定処理を終了する。一方、Ｓ８４の処理において、ＢＯＸ３１の設定が正常に終了した場合には（Ｓ８４：Ｙｅｓ）、Ｓ３〜Ｓ６の処理（図３参照）を実行して、この無線ＬＡＮ簡単設定処理を終了する。
【０１０２】
次に、図９を参照して、ＢＯＸ３１のＣＰＵ３２により実行される要求実行処理について説明する。なお、ＭＦＰ１およびＢＯＸ３１は共にＡｄモードで互いにデータ通信可能な状態であるものとして説明する。
【０１０３】
この処理は、ＢＯＸ３１の主電源が投入されてから主電源が遮断されるまで繰り返し実行される処理である。なお、上述した第１の実施形態と同一の処理を実行するステップについては、同一の符号を付してその説明を省略する。
【０１０４】
図９に示すように、この処理では、まず、Ｓ５１及びＳ５２の処理を実行する。次に、ＭＦＰ１から送信されてくる「通信設定の変更開始要求」を受信したかを判定する（Ｓ１２１）。「通信設定の変更開始要求」を受信していない場合には（Ｓ１２１：Ｎｏ）、Ｓ５１の処理に戻り、Ｓ５１〜Ｓ１２１の各処理を繰り返す。
【０１０５】
Ｓ１２１の処理において、「通信設定の変更開始要求」を受信した場合には（Ｓ１２１：Ｙｅｓ）、ＭＦＰ１へ「変更開始要求の応答」を送信して（Ｓ１２２）、現在の無線ＬＡＮに関する各種設定内容を、旧ネットワーク設定メモリ３５ａに記憶する（Ｓ１２３）。次に、ＭＦＰ１へ「変更開始要求の応答」を送信してから、既定時間（タイムアウト時間）が経過したかを判定する（Ｓ１２４）。
【０１０６】
規定時間が経過した場合には（Ｓ１２４：Ｙｅｓ）、Ｓ５１の処理に戻り、Ｓ５１〜Ｓ１２４の各処理を繰り返す。一方、Ｓ１２４の処理において、規定時間（タイムアウト時間）を経過していない場合には（Ｓ１２４：Ｎｏ）、ＭＦＰ１から暗号化され送信されてくる「無線ＬＡＮの各種設定内容のデータ」を受信したかを判定する（Ｓ１２５）。「無線ＬＡＮの各種設定内容のデータ」を受信していない場合には（Ｓ１２５：Ｎｏ）、Ｓ１２４の処理に戻り、Ｓ１２４及びＳ１２５の各処理を繰り返す。
【０１０７】
Ｓ１２５の処理において、「無線ＬＡＮの各種設定内容のデータ」を受信した場合には（Ｓ１２５：Ｙｅｓ）、受信したデータを復号化して、その各種設定内容を新ネットワーク設定メモリ３５ｂに記憶する（Ｓ１２６）。そして、ＢＯＸ３１の無線ＬＡＮに関する各種設定内容を、新ネットワーク設定メモリ３５ｂの内容に設定する（Ｓ１２７）。ここで、受信したデータに含まれている無線ＬＡＮの各種設定内容が正しければ、Ｓ１２７の処理よって、ＢＯＸ３１は、ＩｎｆモードでＡＰ５１とデータ通信可能な状態に設定（変更）される。
【０１０８】
次に、ＡＰ５１との間で無線通信２００が可能かを判定し（Ｓ１２８）、ＡＰ５１との間で無線通信２００ができない場合には（Ｓ１２８：Ｎｏ）、ＢＯＸ３１の無線ＬＡＮに関する各種設定内容を、旧ネットワーク設定メモリ３５ａの内容に戻す（Ｓ１２９）。即ち、ＡｄモードでＭＦＰ１と直接データ通信可能な状態に戻す。そして、Ｓ５１の処理に戻り、Ｓ５１〜Ｓ１２９の各処理を繰り返す。
【０１０９】
一方、Ｓ１２８の処理において、ＡＰ５１との間で無線通信２００が可能な場合には（Ｓ１２８：Ｙｅｓ）、ＭＦＰ１に通信設定の変更完了を通知するために、ＢＯＸ３１の無線ＬＡＮに関する各種設定内容を、一旦、旧ネットワーク設定メモリ３５ａの内容に戻す（Ｓ１３０）。即ち、ＡｄモードでＭＦＰ１と直接データ通信可能な状態に戻す。
【０１１０】
ここで、ＭＦＰ１は暗号化によるデータ通信している状態なので、暗号化によるデータ通信によりＭＦＰ１へ「変更完了通知」を送信する（Ｓ１３１）。そして、ＭＦＰ１へ「変更完了通知」を送信してから、規定時間（タイムアウト時間）が経過したかを判定する（Ｓ１３２）。既定時間を経過した場合には（Ｓ１３２：Ｙｅｓ）、Ｓ５１の処理に戻り、Ｓ５１〜Ｓ１３２の各処理を繰り返す。
【０１１１】
一方、Ｓ１３２の処理において、既定時間を経過していない場合には（Ｓ１３２：Ｎｏ）、Ｓ６５の処理（図５参照）を実行する。Ｓ６５の処理において、ＭＦＰ１から送信されてくる「Ｉｎｆモードへの切替指示」を受信していない場合には（Ｓ６５：Ｎｏ）、Ｓ１３２の処理に戻り、Ｓ１３２及びＳ６５の各処理を繰り返す。一方、Ｓ６５の処理において、「Ｉｎｆモードへの切替指示」を受信した場合には（Ｓ６５：Ｙｅｓ）、Ｓ６７及びＳ６８の各処理を実行する。そして、Ｓ５１の処理に戻り、Ｓ５１〜Ｓ６８の各処理を繰り返す。
【０１１２】
以上の図９に示す要求実行処理により、ＭＦＰ１から送信されてくる「無線ＬＡＮの各種設定内容のデータ」を受信した場合に、その受信データに基づいて、ＢＯＸ３１の無線ＬＡＮに関する各種設定を、ＡＰ５１とデータ通信可能な状態に設定（変更）できる。
【０１１３】
以上説明した通り、第２の実施形態では、ＭＦＰ１だけに無線ＬＡＮ簡単設定機能を実行させており、その実行によって得られた無線ＬＡＮの各種設定項目に関するデータをＭＦＰ１からＢＯＸ３１へ送信している。そして、ＢＯＸ３１では、その受信したデータに基づいて、ＢＯＸ３１の無線ＬＡＮに関する各種設定項目を設定（変更）するので、ユーザは、ＡＰ５１のＡＰ簡単設定ボタン５１ａを１回押下するだけで、ＭＦＰ１とＢＯＸ３１との無線ＬＡＮに関する各種設定項目を設定できる。
【０１１４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１５】
例えば、ＭＦＰ１に新たな通信設定の指示があった場合に、ＭＦＰ１は現在の通信設定を保存し、無線ＬＡＮ簡単設定機能により新たな通信設定を行い、現在の通信設定でＢＯＸ３１に新たな通信設定を行うことを指示する。一方、その指示を受けたＢＯＸ３１は、現在の通信設定を保存し、無線ＬＡＮ簡単設定機能により新たな通信設定を行い、現在の通信設定でＭＦＰ１に設定の完了を通知し、ＭＦＰ１は、その完了通知を受けたことを条件に、設定が完了した新たな通信設定にし、ＢＯＸ３１は完了を通知したことを条件に、設定が完了した新たな通信設定にするように構成しても良い。この場合にも、第１実施形態の場合と同様にＭＦＰ１と、ＢＯＸ３１との各々に、インフラストラクチャーモードで無線通信可能な通信設定を行うことができる。
【０１１６】
例えば、ＢＯＸ３１に無線ＬＡＮに関する設定項目を自動的に設定させ、その後、ＭＦＰ１に無線ＬＡＮに関する設定項目を自動的に設定させるように構成しても良い。
【０１１７】
また、ＭＦＰ１の代わりに、ＢＯＸ３１を操作すれば、ＭＦＰ１とＢＯＸ３１との無線ＬＡＮに関する設定項目を各々自動的に設定させることができるように構成しても良い。
【０１１８】
また、ＢＯＸ３１の無線ＬＡＮ簡単設定機能を実行させて、ＢＯＸ３１に無線ＬＡＮに関する設定項目を自動的に設定させ、その設定項目のデータをＢＯＸ３１からＭＦＰ１へ送信し、そのデータに基づいてＭＦＰ１に無線ＬＡＮに関する設定項目を設定させるように構成しても良い。
【０１１９】
また、ＭＦＰ１とＢＯＸ３１との一方が、無線ＬＡＮに関する設定項目の設定（変更）を正常に終了できなかったら、ＭＦＰ１とＢＯＸ３１とを共に、無線ＬＡＮに関する設定項目の設定を設定変更前の状態に戻すように構成しても良い。即ち、ＭＦＰ１とＢＯＸ３１とを共に、Ａｄモードに戻して、互いに直接データ通信可能な状態にする。このように構成すれば、ＭＦＰ１とＢＯＸ３１とを常にデータ通信可能に維持できる。
【０１２０】
また、無線ＬＡＮに関する設定項目の設定（変更）が正常に終了するまで、無線ＬＡＮに関する設定項目の設定（変更）を繰り返し試みる（実行する）ように構成しても良い。
【０１２１】
また、通信方式を無線ＬＡＮ方式に限定するものではなく、他の通信方式の無線通信によりデータ通信可能に構成しても良い。例えば、他の通信方式のとしては、赤外線通信（ＩｒＤＡなど）や、Ｂｌｕｅｔｏｏｔｈや、ＺｉｇＢｅｅや、ＵＷＢなどが該当する。
【０１２２】
また、本実施形態のＢＯＸ３１は、無線ＬＡＮ方式の無線通信２００によりデータ通信可能に構成されているが、更に、コードレス電話の親機の機能を設けても良い。
【０１２３】
尚、図４のＳ２３が請求項１の要求手段、図４のＳ２８が請求項１の完了通知受信手段、図４のＳ３３が請求項１の第１設定手段、図４のＳ２６が請求項２の報知制御手段、図４のＳ２１が請求項３の返信指示手段、図４のＳ２２が請求項３の判断手段、図５のＳ５３が請求項４の要求受信手段、図５のＳ５５が請求項４の保存手段、図５のＳ５６が請求項４の第２設定手段、図５のＳ６０が請求項４の変更手段、図５のＳ６１が請求項４の完了通知送信手段、図５のＳ６８が請求項４の再設定手段、図７のＳ９１が請求項５の保存手段、図７のＳ９３が請求項５の第１設定手段、図７のＳ９８が請求項５の変更手段、図８のＳ１０２が請求項５の要求手段、図８のＳ１０６が請求項５の送信手段、図８のＳ１１０７が請求項５の完了通知受信手段、図８のＳ４３が請求項５の再設定手段、図７のＳ９２が請求項６の報知制御手段、図８のＳ２１が請求項７の返信指示手段、図８のＳ２２が請求項７の判断手段、図９のＳ１２１が請求項８の要求受信手段、図９のＳ１２３が請求項８の保存手段、図９のＳ１２６が請求項８の受信手段，図９のＳ１２７が請求項８の第２設定手段、図９のＳ１３０が請求項８の変更手段、図９のＳ１３１が請求項８の完了通知送信手段、図９のＳ６８が請求項８の再設定手段の一例に相当する。
【符号の説明】
【０１２４】
１          ＭＦＰ（端末装置の一例）
１４ａ      識別情報メモリ（記憶手段の一例）
１７        操作キー（入力手段の一例）
１８        ＬＣＤ（報知手段の一例）
３１        ＢＯＸ（端末装置の一例）
５１        ＡＰ（アクセスポイントの一例）
【図１】
2011055116.tif 000003
【図２】
2011055116.tif 000004
【図３】
2011055116.tif 000005
【図４】
2011055116.tif 000006
【図５】
2011055116.tif 000007
【図６】
2011055116.tif 000008
【図７】
2011055116.tif 000009
【図８】
2011055116.tif 000010
【図９】
2011055116.tif 000011